(57)【要約】【課題】  これまでは、固定されていた恒星の等級差を調整可能とし、常に自然な等級差を感じる星空を再現できるようにする恒星投映筒を提供する。【解決手段】  恒星原板に表された恒星をスクリーンに恒星像として投映するプラネタリウムの恒星投映筒において、恒星原板上の個々の恒星を同じ明るさの等級グループ毎に分類し、投映時にこれらの分類した等級グループ単位で任意の明るさを再現できるように、調光可能な光源１０２からの光を導光手段によって対応する等級グループに属する個々の恒星に導く。【選択図】      図１
2018013581.tif 000002
【特許請求の範囲】
【請求項１】
恒星原板に表された恒星をスクリーンに恒星像として投映するプラネタリウムの恒星投映筒において、恒星原板上の個々の恒星を同じ明るさの等級グループ毎に分類し、投映時にこれらの分類した等級グループ単位で任意の明るさを再現できるように、調光可能な光源からの光を導光手段によって対応する等級グループに属する個々の恒星に導くことを特徴とする恒星投映筒。
【請求項２】
調光可能な複数の光源は、投映筒内に配される請求項１記載の恒星投映筒。
【請求項３】
調光可能な複数の光源は、投映筒外に配される請求項１記載の恒星投映筒。
【請求項４】
導光手段として、光ファイバーを用いた請求項１から３のいずれかに記載の恒星投映筒。
【請求項５】
単一あるいは複数の光源と、光源からの光を所定の値で減衰させる透過型あるいは反射型液晶パネルを用い、上記パネルを制御することにより個々の恒星の明るさを調節可能とした請求項１から４のいずれかに記載の恒星投映筒。
【請求項６】
恒星原板上の恒星の穴径を、単一の穴径とした請求項１から５のいずれかに記載の恒星投映筒。
【請求項７】
恒星原板上の一部あるいはすべての恒星の穴径を、恒星の等級に合致する穴径とは異なる穴径とした請求項１から５のいずれかに記載の恒星投映筒。
【請求項８】
恒星原板に表された恒星をスクリーンに恒星像として投映するプラネタリウムの恒星投映筒にして、恒星原板上の個々の恒星を同じ明るさの等級グループ毎に分類し、投映時にこれらの分類した等級グループ単位で任意の明るさを再現できるように、調光可能な光源からの光を導光手段によって対応する等級グループに属する個々の恒星に導く恒星投映筒を用い、観客が明るい環境から暗い環境のプラネタリウム施設内に入場した当初は、恒星の見かけの明るさを再現する標準設定では明るさが暗い等級グループの恒星の明るさを一時的に明るくすることを特徴とするプラネタリウムの演出方法。
【請求項９】
恒星原板に表された恒星をスクリーンに恒星像として投映するプラネタリウムの恒星投映筒にして、恒星原板上の個々の恒星を同じ明るさの等級グループ毎に分類し、投映時にこれらの分類した等級グループ単位で任意の明るさを再現できるように、調光可能な光源からの光を導光手段によって対応する等級グループに属する個々の恒星に導く恒星投映筒を用い、恒星の見かけの明るさを再現する標準設定では明るさの差異が少ない等級グループ間において、グループ同士の明るさの差異を一時的に大きくすることを特徴とするプラネタリウムの演出方法。
【請求項１０】
恒星原板に表された恒星をスクリーンに恒星像として投映するプラネタリウムの恒星投映筒にして、恒星原板上の個々の恒星を同じ明るさの等級グループ毎に分類し、投映時にこれらの分類した等級グループ単位で任意の明るさを再現できるように、調光可能な光源からの光を導光手段によって対応する等級グループに属する個々の恒星に導く恒星投映筒を用い、プラネタリウム施設内の明るさを徐々に暗くしていく夕暮れの星空の再現時に実際の星空で最初に見える等級グループに属する恒星のみを徐々に明るくすることを特徴とするプラネタリウムの演出方法。
【発明の詳細な説明】
【技術分野】
【０００１】
本願発明は、プラネタリウムなどで用いられる恒星投映筒およびプラネタリウムの演出方法に関する。
【背景技術】
【０００２】
プラネタリウムにおいては、全天の恒星を投映するのに、全天を複数の面に分割し、投映原板及び投映レンズからなる複数の恒星投映筒によりそれぞれの分割面を投映している。
【０００３】
一方、光源から光ファイバー束により恒星投映筒に導光することが公知である（特許文献１、２）。
【０００４】
また、これまで、プラネタリウムなどで用いられる恒星原板を持つ恒星投映筒においては、すべての恒星投映筒に共通の単一の光源、あるいは複数に共通、あるいは個別の複数の光源からの光を用いて、スクリーン上に恒星を投映しており、一部の明るい恒星に対してのみ、別に用意された単一の恒星を投映する輝星投映筒によって映し出し、あらかじめ決められた正しい明るさで個々の恒星を投映していた。例えば、所定の等級以下の恒星は一般恒星投映でまとめて投映し，所定の等級以上の恒星は高輝星投映筒により個々に投映していた（特許文献３）。
【０００５】
前記の恒星投映筒では、恒星原板に穿設した孔を通過した光を投映することにより恒星像を再現していたが、孔の大きさを変えることにより恒星の見かけの明るさを表現していた。すなわち、明るい恒星の場合は穴径を大きく、暗い恒星の場合は穴径を小さくしていた。
【０００６】
【特許文献１】特開昭６２−１９１８１８号公報
【特許文献２】特開２００１−１０９０６３号公報
【特許文献３】特開２００６−１４５６１４号公報
【発明の開示】
【発明が解決しようとする課題】
【０００７】
前記したように、これまでのプラネタリウムにおいては、星の等級差を正確に表現することは非常に大切にされてきた。一方、近年のプラネタリウムでは、実際の星空よりも非常に明るく星空を再現するようになっている。このため、投映開始からしばらくして観客の視覚が明所視から暗所視に変化すると、正確な等級差に基づき投映されているにもかかわらず、暗さに慣れていない目には星の明るさの違いが認識しづらくなり夜空の星々が同じような明るさに見えてしまっていた。このため、正確な等級差を表現できるだけでなく、明るさの違いが十分に認識できることの両立が求められてきた。
【課題を解決するための手段】
【０００８】
本願発明の前記の従来技術の問題点に鑑みて創作されたものであり、これまで固定されていた恒星の等級差を調整可能とし、物理的な観点から正確な等級差を表現するだけでなく、観客の視覚においても等級差を明確に認識させることを可能とする星空を再現できるようにする恒星投映筒を提供することを目的とする。
【０００９】
すなわち、本願発明の恒星投映筒は恒星原板に表された恒星をスクリーンに恒星像として投映するプラネタリウムの恒星投映筒において、恒星原板上の個々の恒星を同じ明るさの等級グループ毎に分類し、投映時にこれらの分類した等級グループ単位で任意の明るさを再現できるように、調光可能な光源からの光を導光手段によって対応する等級グループに属する個々の恒星に導くことを特徴とする。
【００１０】
また、請求項２に記載の恒星投映筒は前記の恒星投映筒において、調光可能な複数の光源は、投映筒内に配されることを特徴とする。
【００１１】
また、請求項３に記載の恒星投映筒は前記の恒星投映筒において、調光可能な複数の光源は、投映筒外に配されることを特徴とする。        
【００１２】
また、請求項４に記載の恒星投映筒は前記の恒星投映筒において、導光手段として、光ファイバーを用いたことを特徴とする。
【００１３】
また、請求項５に記載の恒星投映筒は前記の恒星投映筒において、単一あるいは複数の光源と、光源からの光を所定の値で減衰させる透過型あるいは反射型液晶パネルを用い、上記パネルを制御することにより個々の恒星の明るさを調節可能としたことを特徴とする。
【００１４】
また、請求項６に記載の恒星投映筒は前記の恒星投映筒において、恒星原板上の恒星の穴径を、単一の穴径としたことを特徴とする。
【００１５】
また、請求項７に記載の恒星投映筒は前記の恒星投映筒において、恒星原板上の一部あるいはすべての恒星の穴径を、恒星の等級に合致する穴径とは異なる穴径としたことを特徴とする。
【００１６】
本願においては前記の恒星投映筒を用いたプラネタリウムの演出方法も開示する。すなわち、請求項８に記載のプラネタリウムの演出方法は恒星原板に表された恒星をスクリーンに恒星像として投映するプラネタリウムの恒星投映筒にして、恒星原板上の個々の恒星を同じ明るさの等級グループ毎に分類し、投映時にこれらの分類した等級グループ単位で任意の明るさを再現できるように、調光可能な光源からの光を導光手段によって対応する等級グループに属する個々の恒星に導く恒星投映筒を用い、観客が明るい環境から暗い環境のプラネタリウム施設内に入場した当初は、恒星の見かけの明るさを再現する標準設定では明るさが暗い等級グループの恒星の明るさを一時的に明るくすることを特徴とする。
【００１７】
また、請求項９に記載のプラネタリウムの演出方法は恒星原板に表された恒星をスクリーンに恒星像として投映するプラネタリウムの恒星投映筒にして、恒星原板上の個々の恒星を同じ明るさの等級グループ毎に分類し、投映時にこれらの分類した等級グループ単位で任意の明るさを再現できるように、調光可能な光源からの光を導光手段によって対応する等級グループに属する個々の恒星に導く恒星投映筒を用い、恒星の見かけの明るさを再現する標準設定では明るさの差異が少ない等級グループ間において、グループ同士の明るさの差異を一時的に大きくすることを特徴とする。
【００１８】
また、請求項１０に記載のプラネタリウムの演出方法は恒星原板に表された恒星をスクリーンに恒星像として投映するプラネタリウムの恒星投映筒にして、恒星原板上の個々の恒星を同じ明るさの等級グループ毎に分類し、投映時にこれらの分類した等級グループ単位で任意の明るさを再現できるように、調光可能な光源からの光を導光手段によって対応する等級グループに属する個々の恒星に導く恒星投映筒を用い、プラネタリウム施設内の明るさを徐々に暗くしていく夕暮れの星空の再現時に実際の星空で最初に見える等級グループに属する恒星のみを徐々に明るくすることを特徴とする。
【発明の効果】
【００１９】
以上の構成よりなる本願発明の恒星投映筒によれば、恒星原板上の個々の恒星を同じ明るさの等級グループ毎に分類し、投映時にこれらの分類した等級グループ単位で任意の明るさを再現できるように、光源からの光を導光手段によって対応する等級グループに属する個々の恒星に導いているので、導光手段によって等級グループ単位で投映される恒星像の明るさをコントロールすることが可能となる。
【００２０】
よって、正確な等級差に基づき投映して常に自然な等級差を感じる星空を再現することが可能となるほか、等級間の明るさの差異を誇張して投映することにより、視覚が暗い環境に慣れていない観客に等級差を感じさせる仮想的な星空を再現した演出が可能となる。
【００２１】
また、光源からの光を調光することにより恒星の見かけの明るさを表現するので、恒星原板に穿設した孔の大きさを変えることにより明るさを表現するこれまでの恒星投映筒とは異なり、恒星の明るさを決定する恒星原板上の恒星像の直径を実際の等級と一致させる必要がないため、全ての孔が単一の直径をもつ恒星原板を使用することができる。
【００２２】
一方、以上の恒星投映筒を用いて、観客が明るい環境から暗い環境のプラネタリウム施設内に入場した当初は、恒星の見かけの明るさを再現する標準設定では明るさが暗い等級グループの恒星の明るさを一時的に明るくする請求項８記載のプラネタリウムの演出方法においては、投映開始からしばらくして観客の視覚が明所視から暗所視に変化すると、正確な等級差に基づき投映されているにもかかわらず、暗さに慣れていない目には星の明るさの違いが認識しづらくなり夜空の星々が同じような明るさに見えてしまっていた現象を解消することができる。
【００２３】
すなわち、プラネタリウムの施設内に入ってきたとき、観客の視覚は暗順応ができていないため明るい星のみ見ることができるが、見え辛い暗い星を明るく投影することで、満天の星空を観客に見せることができる。逆に、しばらく施設内にいると視覚は暗順応ができるため、逆に近年の実際の星空よりも明るく星を投映しているプラネタリウムでは、星が明るすぎて視覚細胞が飽和してしまい、主要な星の等級にあまり違いがないように見えてしまう。しかしながら、本願発明による恒星投映筒を用いれば、それぞれの等級の明るさの差がより広がるように、明るい星はそのままの明るさで、暗い星をより暗く投影することで、明るさの違いを明確に提示できるので、観客が見て自然な星空を再現することができる。
【００２４】
また、以上の恒星投映筒を用いて、恒星の見かけの明るさを再現する標準設定では明るさの差異が少ない等級グループ間において、グループ同士の明るさの差異を一時的に大きくする請求項９記載のプラネタリウムの演出方法においては、観客に恒星の等級の差を説明することが容易になる効果を得られる。
【００２５】
すなわち、プラネタリウム施設においては、映し出された星空の中で、特徴的な星の並びなどを探させるなどして星座の説明を行ってきたが、近年のプラネタリウムでは７等星以下の星までも投影しているため星の数が多くなり、実際の星空に比べて極端に特徴的な星の並びなどが見つけ辛くなっていた。しかしながら、本願発明による恒星投映筒を用いれば、例えば星座の形を構成する主要な４等星程度までの星のみを投映し、それよりも暗い恒星は消灯あるいは等級をより暗く調整することによって、ドームスクリーン上に特徴的な星の並びなどを見つけやすく投影することができるから、星座の説明などを容易に進めることができる。
【００２６】
また、以上の恒星投映筒を用いて、プラネタリウム施設内の明るさを徐々に暗くしていく夕暮れの星空の再現時に実際の星空で最初に見える等級グループに属する恒星のみを徐々に明るくすることを特徴とするプラネタリウムの演出方法においては、容易に夕暮れの空に輝く明るい星がキラキラと輝いている様子を再現することが可能となる。
【００２７】
すなわち、プラネタリウムでは、夕暮れの場面などで星が次々と見えてくる演出が多用されるが、これまでは、プラネタリウム施設内の照明を暗くしていきながら、恒星を徐々に明るくしていくことで実現していた。この方法では、夕暮れの空に輝く明るい星がキラキラと輝いている様子の再現が困難であった。なぜなら、キラキラと輝くような明るさにしてしまうと、より暗い星までがはっきりと映し出されてしまうからである。しかしながら、本願発明による恒星投映筒を用いれば、明るい星のみを最大の明るさで投映することができるので、容易に夕暮れの空に輝く明るい星がキラキラと輝いている様子を再現することが可能である。
【００２８】
前記したように、本願発明の恒星投映筒においては等級グループ単位で投映される恒星像の明るさを一括してコントロールすることができる。よって、前記の３つのプラネタリウムの演出方法の実施にあたってはオペレーターは個々の恒星を意識せずに等級グループ単位での調光を行えばよいので操作が容易である。
【図面の簡単な説明】
【００２９】
【図１】本願発明の恒星投映筒の第１実施例の一部切り欠き側面図。
【図２】本願発明の恒星投映筒の第２実施例の一部切り欠き側面図。
【図３】本願発明の恒星投映筒の第３実施例の要部の側面図。
【図４】本願発明の恒星投映筒の第４実施例の要部の側面図。
【図５】本願発明の恒星投映筒の第５実施例の要部の側面図。
【図６】本願発明の恒星投映筒の第６実施例の要部の側面図。
【図７】本願発明の恒星投映筒の第７実施例の要部の斜視図。
【図８】本願発明の恒星投映筒の第８実施例の要部の側面図。
【図９】本願発明のプラネタリウムの演出方法に使用する恒星投映筒の制御関係のブロック図。
【発明を実施するための最良の形態】
【００３０】
以下、本願発明の恒星投映筒の具体的実施例を添付図面に基づいて説明する。図１は、本願発明の恒星投映筒の第１実施例を示す図である。本願発明の恒星投映筒は、恒星原板上の個々の恒星の明るさ毎に、異なる調光可能な光源からの光を導光手段によって対応する個々の恒星に導くことを特徴とするが、この実施例においては恒星の明るさに毎に異なる複数の光源５を用いている。
【００３１】
図中符号１は恒星原板２及び投映レンズ３を収容した投映筒であり、この実施例においては個別に調光可能な複数の光源5(ここではＬＥＤランプ) を筒内に収容し、光ファイバ４を導光手段として用いて、それぞれの光源からの光を恒星原板２の対応する等級の個々の恒星に振り分けている。
【００３２】
図２は本願発明の恒星投映筒の第２実施例を示す図である。この実施例においては前記第１実施例においては投映筒内に収容していた光源を恒星投映筒から取り外し、離れた場所に置いている。
【００３３】
図中符号１０は投映筒、１２は恒星原板、１３は投映レンズである。恒星の等級ごとに異なる複数の光源１６は収容ケース１５内に収容され、投映筒に至る光ファイバ１７、投映筒内の光ファイバ１４を導光手段として用いていて、それぞれの光源からの光を恒星原板１２の対応する等級の個々の恒星に振り分けている。  
【００３４】
この実施例においては光源を投映筒外に配しているので、一つの光源を複数の投映筒で共用することができる。図中符号１７Ａはこの場合に他の投映筒に至る光ファイバーを指す。
【００３５】
図３は本願発明の恒星投映筒の第３実施例を示す図である。この実施例においては複数の光源２５は、単一の明るさとし、恒星原板に至る光ファイバ２６の入射端と光源との間に調光機能を持つ素子２６を介在させることによって、光ファイバ毎に調光可能としたものである。
【００３６】
図４は本願発明の恒星投映筒の第４実施例を示す図である。この実施例においては恒星原板に至る光ファイバ３４の入射端と光源との間に調光機能を持つ素子３６を介在させることによって光ファイバ毎に異なる明るさの光束を生成しており、光源３５は単一の面光源としている。
【００３７】
図５から図６は本願発明の恒星投映筒の第５実施例を示す図である。この実施例においては恒星原板に至る光ファイバ４４の入射端と光源４５（ここでは面光源) との間に介在される調光素子として透過型液晶パネル４６を使用している。この場合、液晶パネルの特定の領域の画素の透明度によって一つの光源としているので、個々の光ファイバ４４の入射端は上記特定領域の画素の集合体４７に向けて配される。
【００３８】
図７は本願発明の恒星投映筒の第６実施例を示す図である。ここでは光ファイバ６４の入射端と透過型液晶パネル５６とのあいだに一つの集光レンズ５５を配している。なお、図中符号５７は光源を表す。
【００３９】
図８は本願発明の恒星投映筒の第７実施例を示す図である。この実施例においては恒星原板６４と透過型液晶パネル６６とのあいだに配した集光レンズ６５を導光手段として用い、透過型液晶パネル上で使用する画素の位置を適切に設定することにより、直接恒星原板に光を導いている。なお、図中符号６７は光源、６８は投映レンズを示す。
【００４０】
前記の第６および第７実施例では透過型液晶パネルを用いているが、光学系を変更することにより、容易に反射型液晶パネルを使用することもできることはいうまでもない。
【００４１】
図９は本願発明のプラネタリウムの演出方法に使用する恒星投映筒の制御関係のブロック図を示す。図中符号１０２は各恒星投映筒の恒星原板を照明するための光源、同じく１０３は照明光を調光するための調光部である。前記の調光部は光源自体の明るさを調光する場合と光源自体の明るさは固定として、恒星原板に至る光ファイバの入射端と光源との間に調光機能を持つ素子を介在させる場合が想定される。
【００４２】
前記の光源１０２と調光部１０３は投映される恒星の明るさの等級グループ毎に容易され、制御部１００を介して等級グループ毎に調光される。この場合、恒星の見かけの明るさを再現することをデフォルトとして、各等級グループの明るさは操作卓１０１の調光摘みをオペレーターが手動で操作して調光したり、あるいは予め定められたプラネタリウムの演出プログラム上で場面に応じて自動操作される。
【００４３】
前記の等級グループ毎の調光により実現することが可能となるプラネタリウムの演出方法は次の通りである。
（演出方法１）
観客が明るい環境から暗い環境のプラネタリウム施設内に入場したことを検知（手順１）
恒星の見かけの明るさを再現する標準設定では明るさが暗い等級グループの恒星の明るさを一時的に明るくする（手順２）
予め設定した時間経過後に恒星の明るさを標準設定に戻す（手順３）
【００４４】
（演出方法２）
星座の説明や恒星の等級の説明を開始（手順１）
恒星の見かけの明るさを再現する標準設定では明るさの差異が少ない等級グループ間において、グループ同士の明るさの差異を一時的に大きくする（手順２）
リウムの演出方法。
【００４５】
（演出方法３）
夕暮れの星空の再現に際し、プラネタリウム施設内の明るさを徐々に暗くしていく（手順１）
実際の星空で最初に見える等級グループに属する恒星のみを徐々に明るくする（手順２）
【符号の説明】
【００４６】
１      投映筒
２      恒星原板
３      投映レンズ
４      光ファイバー
５      光源
【図１】
2018013581.tif 000003
【図２】
2018013581.tif 000004
【図３】
2018013581.tif 000005
【図４】
2018013581.tif 000006
【図５】
2018013581.tif 000007
【図６】
2018013581.tif 000008
【図７】
2018013581.tif 000009
【図８】
2018013581.tif 000010
【図９】
2018013581.tif 000011
【手続補正書】
【提出日】平成28年7月25日(2016.7.25)
【手続補正１】
【補正対象書類名】明細書
【補正対象項目名】０００７
【補正方法】変更
【補正の内容】
【０００７】
前記したように、これまでのプラネタリウムにおいては、星の等級差を正確に表現することは非常に大切にされてきた。一方、近年のプラネタリウムでは、実際の星空よりも非常に明るく星空を再現するようになっている。このため、投映開始からしばらくして観客の視覚が明所視から暗所視に変化すると、正確な等級差に基づき投映されているにもかかわらず、暗さに慣れてしまった目には星の明るさの違いが認識しづらくなり夜空の星々が同じような明るさに見えてしまっていた。このため、正確な等級差を表現できるだけでなく、明るさの違いが十分に認識できることの両立が求められてきた。
【手続補正２】
【補正対象書類名】明細書
【補正対象項目名】００２０
【補正方法】変更
【補正の内容】
【００２０】
よって、正確な等級差に基づき投映して常に自然な等級差を感じる星空を再現することが可能となるほか、等級間の明るさの差異を誇張して投映することにより、視覚が暗い環境に慣れてしまった観客に等級差を感じさせる仮想的な星空を再現した演出が可能となる。
【手続補正３】
【補正対象書類名】明細書
【補正対象項目名】００２２
【補正方法】変更
【補正の内容】
【００２２】
一方、以上の恒星投映筒を用いて、観客が明るい環境から暗い環境のプラネタリウム施設内に入場した当初は、恒星の見かけの明るさを再現する標準設定では明るさが暗い等級グループの恒星の明るさを一時的に明るくする請求項８記載のプラネタリウムの演出方法においては、投映開始からしばらくして観客の視覚が明所視から暗所視に変化すると、正確な等級差に基づき投映されているにもかかわらず、暗さに慣れてしまった目には星の明るさの違いが認識しづらくなり夜空の星々が同じような明るさに見えてしまっていた現象を解消することができる。